(57)【要約】実施形態は、デバイスにとらわれない方法でのユーザデバイスへの配信のための、自動的なメディアの生成または複数のメディア入力の他の変換（価値向上を含む）を提供する。変換プロセスは、さらに、文脈情報に基づいて自動的に価値向上がなされる。文脈情報は、カスタマイズされたコンテンツの価値向上を、ユーザデバイスに配信されるメディアに提供する。文脈情報は変換および生成されたメディアと自動的に統合され、デバイスにとらわれない方法で、高度にカスタマイズされた質の高いメディアコンテンツの配信を提供する。
2008544412.tif 000002
【特許請求の範囲】
【請求項１】
第１のデータを取得することと、
該第１のデータを分析して、そこから文脈情報を取得することと、
該取得した文脈情報を使用して、第２のデータを決定することと、
該決定された第２のデータで該第１のデータを補って、変換されたデータを取得することと、
該変換されたデータを少なくとも１つのクライアントのデバイスに配信することと
を包含する、方法。
【請求項２】
前記第１のデータを取得することは、テキストデータを取得することを含み、該第１のデータを分析することは、該テキストデータを構文解析して、そこから前記文脈情報を取得することを含み、前記決定されたデータで該第１のデータを補うことは、音声、映像、画像表示、１つ以上のイメージ、または該テキストデータと関連する他の質の高いメディア要素で該テキストデータを補うか、またはこれらで該テキストデータを置換することを含む、請求項１に記載の方法。
【請求項３】
前記第１のデータを取得することは、複数の第１のデータを取得することを含み、前記第２のデータを決定することは、該複数の第１のデータの文脈情報に基づいて、該複数の第１のデータのうちの少なくとも一部を該第２のデータとして使用することを含み、該決定された第２のデータで該第１のデータを補うことは、該複数の第１のデータのうちの一部に対応する少なくとも一部の第２のデータを組み合わせて、前記変換されたデータを取得することを含む、請求項１に記載の方法。
【請求項４】
前記文脈情報を取得することは、前記第１のデータから感情的なニュアンスを決定することを含む、請求項１に記載の方法。
【請求項５】
前記クライアントのデバイスの特性に基づいて、または前記変換されたデータを配信するための通信チャンネルの状況に基づいて、該変換されたデータ、前記第２のデータ、または第１の形式から別の形式に該変換されたデータをトランスコーディングすることと、
通信セッションの間に、該クライアントのデバイスの特性または該チャンネルの状況の変化に応答して、該トランスコーディングされたデータを動的に更新することと
をさらに包含する、請求項１に記載の方法。
【請求項６】
前記決定された第２のデータで前記第１のデータを補うことは、テンプレートを使用して、選択された位置で、時間内の順序に従って、該第１のデータに質の高いメディアの価値の向上を提供することを含む、請求項１に記載の方法。
【請求項７】
前記決定された第２のデータに基づいて、または前記文脈情報に基づいて、ヒントトラック情報を導き出すことと、
該ヒントトラック情報を使用して、前記クライアントのデバイスに対して、または該クライアントのデバイスへの通信チャンネルに対して最適である形式への、前記変換されたデータのトランスコーディングを最適化することと
をさらに包含する、請求項１に記載の方法。
【請求項８】
第１のデータを取得する手段と、
該第１のデータを分析して、そこから文脈情報を取得する手段と、
該取得した文脈情報を使用して、第２のデータを決定する手段と、
該決定された第２のデータで該第１のデータを補って、変換されたデータを生成する手段と、
該変換されたデータを少なくとも１つのクライアントのデバイスに配信する手段と
を備えている、メディアカスタマイズシステム。
【請求項９】
前記第１、第２、または変換されたデータを変換する手段と、
クライアントのデバイスのデータ、顧客情報、または該変換されたデータを生成するために使用され得る画像情報を格納する手段と
をさらに備えている、請求項８に記載のシステム。
【請求項１０】
前記第１のデータを分析する前記手段は、文脈データベース、文脈エンジン、配置テンプレート、および動画テンプレートのうちの少なくとも１つを含む、請求項８に記載のシステム。
【請求項１１】
前記補う手段は、前記変換されたデータに対するメディアを生成するために使用可能である映像エンジン、音声エンジン、レンダリングエンジン、動画エンジン、および画像テンプレートのうちの少なくとも１つを含む、請求項８に記載のシステム。
【請求項１２】
前記文脈情報から、または前記第２のデータから導き出された補足情報に基づいて、映像の符号化の価値を高める手段をさらに備えている、請求項８に記載のシステム。
【請求項１３】
デバイスの能力に基づいて導き出された映像ファイルとして、前記変換されたデータを配信する手段をさらに備えている、請求項７に記載のシステム。
【請求項１４】
取得された第１のデータを分析して、そこから文脈情報を取得するための、
該取得された文脈情報を使用して、第２のデータを決定するための、
該決定された第２のデータで該第１のデータを補って、変換されたデータを取得するための、および
該変換されたデータを少なくとも１つのクライアントのデバイスに配信するための、少なくとも１つのプロセッサによって実行可能である、製品に格納された命令を有する、機械で読み取り可能なメディアを備えている、製品。
【請求項１５】
前記機械で読み取り可能なメディアは、
前記決定された第２のデータに基づいて、または前記文脈情報に基づいて、ヒントトラック情報を導き出すための、および
該ヒントトラック情報を使用して、前記クライアントのデバイスに対して、または該クライアントのデバイスへの通信チャンネルに対して最適である形式への、前記変換されたデータのトランスコーディングを最適化するための、
製品に格納された命令をさらに含む、請求項１４に記載の製品。
【請求項１６】
前記取得された第１のデータを分析して、文脈情報を取得する前記命令は、該第１のデータから感情的なニュアンスを導き出す命令を含む、請求項１４に記載の製品。
【請求項１７】
前記取得された文脈情報を使用して、第２のデータを決定する前記命令は、ユーザの好み、デバイスの特性、または前記第１のデータと関連し得るメディアのコンテンツのうちの少なくとも１つ以上に基づいて、該第１のデータと関連のある第２のデータを識別する命令を含む、請求項１４に記載の製品。
【請求項１８】
メディア入力を受信する入力端末と、
該メディア入力を分析して、そこから文脈情報を取得し、該取得された文脈情報を使用して、該メディア入力と関連のある該メディア入力に対するメディアの補足を決定するための、該端末と結合された文脈コンポーネントと、
該決定されたメディアの補足で該メディア入力を補って、変換されたメディアを取得するための、該文脈コンポーネントと結合されたメディア生成コンポーネントと、
少なくとも１つのクライアントのデバイスに該変換されたメディアを配信するための、該メディア生成コンポーネントと結合された出力端末と
を備えている、装置。
【請求項１９】
前記クライアントのデバイスに対して、または前記変換されたメディアを配信するために使用される前記クライアントのデバイスへの通信チャンネルに対して最適である形式に該変換されたメディアを転換するための、前記メディア生成コンポーネントと結合されたトランスコーディングコンポーネントと、
デバイスの能力情報、ユーザの情報、好みの情報、またはアバタのテンプレートを含む、前記クライアントのデバイスに関連する情報を格納するための、少なくとも１つの格納ユニットと
をさらに備えている、請求項１８に記載の装置。
【請求項２０】
前記クライアントのデバイスに対して、または前記変換されたメディアを配信するために使用される前記クライアントのデバイスへの通信チャンネルに対して最適である形式に該変換されたメディアを転換するための、前記メディア生成コンポーネントと結合されたトランスコーディングコンポーネントをさらに備える、請求項１８に記載の装置であって、該トランスコーディングコンポーネントは、該メディア生成コンポーネントまたは該変換されたメディアの転換を最適化するために使用可能である前記文脈コンポーネントからヒントトラック情報を受信するためにさらに結合される、装置。
【請求項２１】
前記文脈コンポーネントは、文脈データベース、文脈エンジン、配置テンプレート、および動画テンプレートを含む、請求項１８に記載の装置。
【請求項２２】
前記メディア生成コンポーネントは、前記変換されたメディアに対するオブジェクトを生成するために使用可能である映像エンジン、音声エンジン、レンダリングエンジン、動画エンジン、および画像テンプレートを含む、請求項１８に記載の装置。
【発明の詳細な説明】
【技術分野】
【０００１】
（関連出願の引用）
本出願は、本出願と同じ譲受人に譲渡され、その全体が本明細書において参考として援用される、２００５年６月２３日出願の「ＡＰＰＡＲＡＴＵＳ，  ＳＹＳＴＥＭ，  ＭＥＴＨＯＤ，  ＡＮＤ  ＡＲＴＩＣＬＥ  ＯＦ  ＭＡＮＵＦＡＣＴＵＲＥ  ＦＯＲ  ＡＵＴＯＭＡＴＩＣ  ＣＯＮＴＥＸＴ−ＢＡＳＥＤ  ＭＥＤＩＡ  ＴＲＡＮＳＦＯＲＭＡＴＩＯＮ  ＡＮＤ  ＧＥＮＥＲＡＴＩＯＮ」と題される米国仮特許出願第６０／６９３，３８１号の利益を、３５Ｕ．Ｓ．Ｃ．セクション１１９（ｅ）の下で主張する。
【０００２】
（技術分野）
本出願は、概して、通信ネットワークを通じたメディアの配信に関し、特に、これに限定するものではないが、通信ネットワークを通じたクライアントのデバイスへの配信のためのメディアの生成および変換（ｔｒａｎｓｆｏｒｍａｔｉｏｎ）に関する。
【背景技術】
【０００３】
様々な形式のメディアフォーマットの転換（ｃｏｎｖｅｒｓｉｏｎ）が、現在、市場で入手可能である。例えば、多くの会社が、日常的に、カスタマーサービスのサーバ側のアプリケーションにデータを入力するために、電話のための音声認識システムを使用しており、該カスタマーサービスのサーバ側のアプリケーションは、処理するために音声データをテキストデータに転換する。メディア変換技術は、これに限定するものではないが、テキストから音声への変換、イメージから３Ｄレンダリングへの変換、およびイメージから映像への変換を含む。様々なユーザデバイスへの配信のために、デバイスの能力に従ってデータをカスタマイズする様々な技術がまた、従来技術において公知である。例えば、通常、要求しているデバイスによって提供される一部の情報に基づいて、クライアントのデバイスに配信する前に、様々な表示および音声の能力に合わせて、サーバ側のアプリケーションにおいてデータを改変することが公知である。例としては、フルサイズのＰＣのディスプレイに対して携帯電話またはＰＤＡのサイズのディスプレイのためにウェブのコンテンツを改変することを含む。
【０００４】
しかしながら、特に、様々な異なるタイプのクライアントのデバイスに容易に配信され得る様々な異なるタイプのメディアのコンテンツに対して、ユーザの要望がますます増加する現在の環境において、このような基本的なメディアフォーマットの転換およびメディアの変換技術には、所望されることが多く残されている。このようなメディアフォーマットの転換およびメディアの変換技術には、様々なユーザデバイスの利点を最大化させようとする技術的な知識を有するユーザのニーズを満たすためには、あまりにも基本的でありかつ初歩的でありすぎる。
【発明の開示】
【課題を解決するための手段】
【０００５】
一局面に従って、方法は、第１のデータを取得することと、そこからの文脈情報を取得するために該第１のデータを分析することと、第２のデータを決定するために取得した文脈情報を使用することと、変換されたデータを取得するために、該決定された第２のデータで該第１のデータを補うことと、該変換されたデータを少なくとも１つのクライアントのデバイスに配信することと、を含む。
【発明を実施するための最良の形態】
【０００６】
限定を意図せず、かつ全てを網羅するものではない実施形態が、以下の図面を参照して記述される。同じ参照番号は、特に断りがない場合には、様々な図全体を通して同じ部分を指す。
【０００７】
文脈に基づいた自動的なメディアの変換および生成に対する実施形態が本明細書において記述される。以下の記述において、多数の特定の詳細が、実施形態の完全な理解を提供するために与えられる。しかしながら、実施形態は、特定の詳細のうちの１つ以上を用いることなく、または他の方法、コンポーネント、材料などを用いて実施され得るということを、当業者は認識する。他の例においては、周知の構造、材料、または動作は、実施形態の局面を分かりにくくすることを避けるために、詳細には示されないか、または記述されない。
【０００８】
この明細書全体を通した「一実施形態」または「実施形態」への言及は、実施形態に関連して記述される特定の特徴、構造、または特性が、少なくとも１つの実施形態に含まれるということを意味する。従って、この明細書全体を通した様々な場所における、成句「一実施形態において」または「実施形態において」の出現は、必ずしも、全て同じ実施形態に言及しているわけではない。さらに、特定の特徴、構造、または特性は、１つ以上の実施形態において、任意の適切な方法で組み合わせられ得る。
【０００９】
上で先に述べられたように、メディアのフォーマットの転換およびメディアの変換に対する一部の従来技術の手法が存在する。しかしながら、従来技術においては、同時的な複数のメディア入力およびデバイス出力に対して自動化されたメディアの生成または変換を提供するために導入されたシステムまたは方法は全く存在していない。特に、文脈パラメータに基づいてメディアの変換およびメディアの価値向上を提供するために利用可能なシステムおよび方法は存在しない。
【００１０】
全体像として、実施形態は、デバイスにとらわれない方法でのユーザデバイスへの配信のための、自動的なメディアの生成または複数のメディア入力のフォーマットの（価値向上を含む）他の変換のためのシステムを提供する。一実施形態において、変換プロセスは、さらに、文脈情報に基づいて自動的に価値を高められる。文脈情報は、カスタマイズされたコンテンツの価値向上をユーザデバイスに配信される全てのメディアに提供する。文脈情報は変換および生成されたメディアと自動的に統合され、デバイスにとらわれない方法で高度にカスタマイズされた質の高いメディアコンテンツの配信を提供する。
【００１１】
図１は、実施形態を実装するための第１のシステム１０を例示する。図１は、複数のメディア入力（１０１、１０２、１０３など）、および１つ以上のユーザデバイス（１１０、１２０、１３０など）に供給するカスタマイズされたメディア出力（１１１、１２１、１３１など）を有する、自動化されたメディアカスタマイズシステム１００を示す。入力メディア（１０１、１０２、１０３など）は、例えば、音声、映像、３Ｄレンダリング、図形、インターネット／ウェブのコンテンツ、生の音声または映像、ファイル、株の取引値、ニュースおよび天気予報のような動画またはテキスト番組、衛星イメージ、ならびにスポーツ番組のような任意の形状を取り得る。
【００１２】
メディアカスタマイズシステム１００に対する様々なメディア入力（１０１、１０２、１０３など）は、テキストメッセージ、音声メッセージ、イメージ、および音声クリップのようなエンドユーザによって作成されるメディアのようなコンテンツを含み得る。メディア入力は、一定のテキストメッセージ、アバタまたは他のイメージ表現、イメージ、およびテーマのような事前設定のリスト情報を含み得る。メディア入力は、例えば、ニュース番組、天気予報、スポーツのヘッドライン、および株の取引値のようなサードパーティの情報サービスによって供給される。本明細書において明確に述べられるメディアのタイプ／形式以外のメディアのタイプ／形式がメディア入力（１０１、１０２、１０３）に含まれ得るということが理解される。
【００１３】
自動メディアカスタマイズシステム１００の実施形態は、様々なメディア入力（１０１、１０２、１０３など）に対して、その場でフォーマットの転換を提供し、また文脈パラメータに基づいてメディアを生成し得ることにより、入力メディアと組み合わせて、各ユーザデバイスに対してそれぞれのカスタマイズされたメディア出力（１１１、１２１、１３１など）を形成し、および／または１つ以上のデバイス（１１０、１２０、１３０など）が、１つよりも多いメディア出力を受信し得る。
【００１４】
実施形態に従って、クライアントデバイスのユーザは、１つよりも多い宛先のクライアントデバイス（１１０、１２０、１３０など）に対するメディア配信の好みを選択し得る。システム１００は、スタンドアロンのクライアント技術、またはサーバ−クライアント技術の組み合わせとして配備され得る。一実施形態において、カスタマイズされたメディアは、サーバ上で生成され（例えば、メディアカスタマイズシステム１００はサーバに配置される）、デバイス（１１０、１２０、１３０など）に配信される。メディアカスタマイズシステム１００からの命令およびデータに基づいて、デバイス（１１０、１２０、１３０など）において一部または全てのメディアを生成することがまた可能である。メディア生成は、個々のユーザのアカウントにとって利用可能であるリソース、およびメディアカスタマイズシステム内の利用可能なコンポーネントを使用するように最適化される。
【００１５】
一実施形態の文脈コンポーネント１０７は、文脈情報を決定して、および／またはクライアントデバイスへの配信のための質を高められたメディアフォーマットに文脈要素を統合する。例えば、アプリケーションのタイプ、メディアのタイプ、クライアントデバイスの位置、エンドユーザの入力、およびエンドユーザの人口統計を含むいくつかの要因に基づいて、文脈情報は事前設定されまたは導き出され得る。その結果としての文脈の質を高められたメディア、および／または他の質を高められたメディアが、クライアントデバイスの能力または上に列挙された要因に合うように、メディア生成コンポーネント１０６によって生成され得る。一実施形態において、メディア生成コンポーネント１０６と文脈コンポーネント１０７とは、同じコンポーネントを備え得る。
【００１６】
一実施形態において、文脈コンポーネント１０７は、クライアントデバイスまたは文脈のデータから送信されるユーザ入力の好みのような文脈に対する入力を含み、該クライアントデバイスまたは文脈のデータは、サービス要求履歴、位置データ、料金請求データ、適用された人口統計データ、ユーザの地理／位置データなどのようなユーザのアカウントデータから導き出されて、該ユーザのアカウントデータは顧客情報のデータベース１０９または他の格納ユニットに格納されており、該顧客情報のデータベース１０９または他の格納ユニットは、メディアカスタマイズシステム１００から分離され得るか、またはそこに統合され得る。一実施形態において、文脈コンポーネント１０７によってメディア入力を分解して、コンテンツを構文解析することによって、他の文脈要素は決定され得、次いで、声の抑揚およびエモーティコンのようなテキストおよび音声における感情を表す要素のような任意の決定された文脈要素と、雨天の天気予報のための雨音のような位置に基づいた文脈とを使用して、新たにカスタマイズされたメディアを生成する。
【００１７】
実施形態において、メディアカスタマイズシステム１００は、トランスコーディングコンポーネント１０５を含み、デバイス（１１０、１２０、１３０など）に配信されるように、これらのデバイスおよび／またはチャンネルの状況に対して最適化される方法で、メディアを変換する。例えば、トランスコーディングコンポーネント１０５は、そのメディアを受信するクライアントデバイスの特性に基づいて、および／またはそのクライアントデバイスのチャンネルの状況に基づいてメディアを最適化する方法で、ビットレート、フレームレート、解像度、符号化フォーマット、カラーフォーマット、または配信されるメディアに関連する他のパラメータを動的に変更し得、それらは通信セッションの全体を通して変更され得る。トランスコーディングコンポーネント１０５によって使用され得る手法およびモジュールの例は、本出願と同じ譲受人に譲渡され、その全体が本明細書において参考として援用される２０００年２月１０日出願の「ＣＯＭＰＵＴＥＲ  ＰＲＯＧＲＡＭ  ＰＲＯＤＵＣＴ  ＦＯＲ  ＴＲＡＮＳＦＯＲＭＩＮＧ  ＳＴＲＥＡＭＩＮＧ  ＶＩＤＥＯ  ＤＡＴＡ」と題される米国特許出願第０９／５０２，３９０号に開示されている。
【００１８】
システム１００は様々なメディア入力を取得して、次いで文脈情報に基づいて変換し、または異なるまたは同じメディアのタイプのカスタマイズされたメディアを生成する。次に、カスタマイズされたデータは、映像ディスプレイおよび／または音声能力を有するクライアントデバイスに配信され得る。配信メカニズムは、限定するものではないが、ストリーミング、電子メール、ＭＭＳ、ＷＡＰ、ＰＵＳＨ、およびダウンロードリンクを含む。配信チャンネルは、これに限定するものではないが、ワイヤレスおよび有線のネットワーク、ならびにケーブル支援のアップロードチャンネルを含む。
【００１９】
図２および図３は、図１のシステム１００に対する他の実施形態を示す。例えば、図２は、文脈コンポーネント１０７がメディア生成コンポーネント１０６を含む、メディアトランスコーディングシステム（または他の変換システム）２００を示す。さらに、実施形態において、ユーザ情報データベース１０９は、デバイスの能力に関する情報を含み得、代替的にまたは追加的に、ユーザの情報または他の情報に関する情報を含み得る。図２に例として示されているように、様々なクライアントデバイスは、セルラー電話２１０、（ＰＤＡまたはＢｌａｃｋＢｅｒｒｙのような）ワイヤレスデバイス２２０、ラップトップ２３０などを含み得る。
【００２０】
一実施形態のユーザ情報データベース１０９は、好みとユーザの履歴とを含み得る。ユーザはアバタを選択し得るか、もしくはアバタまたは他の画像表示をカスタマイズし得、その情報はクライアントデバイスまたはユーザ情報データベース１０９のいずれかに格納され得る。例えば、ユーザは「Ｍａｒｉａ  Ｂａｒｔｉｒｏｍｏ」アバタまたは「Ｌａｒｒｙ  Ｋｕｄｌｏｗ」アバタのような所定のアバタを望み得ることにより、それらのクライアントデバイス上の株価のニュースを配信する。ユーザはまた、新たなカスタムアバタの基礎として使用するために、デジタル写真を提供し得る。上で述べられたように、ユーザ情報データベース１０９はまた、メディアの性能を特定のユーザのアカウントと関連付けるデバイス能力データベースを含み得る。ユーザが１つよりも多いデバイスを有する場合には、ＭＩＮ、ＳＩＤまたは他のデバイスの識別コードが、デバイスからのサービスに対する要求に基づいて、その場で相互参照されて、決定され得る。
【００２１】
様々な実施形態に従って、１つ以上のプロセスが含まれる：
第１のプロセスは、メディア生成コンポーネント１０６および文脈コンポーネント１０７を適用することによって、入力メディアを分析して、様々な文脈の特徴を導き出し、例えば、データベース１０９から入力可能である他の情報と文脈情報を組み合わせる。図１〜図３のメディアカスタマイズシステムは、音声分析、テキスト分析、映像分析、イメージ分析、位置に基づく情報の分析、ユーザの人口統計分析、ユーザの行動履歴の分析を提供するように構成されている。
【００２２】
第２のプロセスは、分析によって決定された特徴ならびにユーザの好みおよびデバイスの能力のような他の情報を使用して、この情報をアピールしかつ刺激する方法でクライアントデバイスに配信する、新たなおよび／または修正されたメディアのタイプを生成することを包含する。結果としてのカスタマイズされた出力メディアは、イメージ、３Ｄ動画、２Ｄ動画、映像と音声、映像のみ、および音声のみの出力、ならびに様々な他のメディア出力のタイプを含み得る。新たな特徴が利用可能になると、カスタマイズされたメディアのコンテンツは、適合および更新され得る。実施形態の特徴は、文脈パラメータに基づいてユーザ／デバイスにカスタマイズされたメディアの（適切である場合には）インテリジェントな自動分解、分析および生成に基づいた、生のメディア入力からのカスタマイズされたメディアの再構築である。
【００２３】
システムの一特徴は、「インテリジェントな」メディア生成および変換または他のインテリジェントな変換のアプリケーションである。システムのインテリジェントな生成および変換の要素は、生のメディアデータソースを獲得すること、および生のメディアデータソースを３Ｄアバタの動画または他の画像表示に自動的に転換することのようなサービスを提供する。システムの各アプリケーションは、一定量の共通の機能性を共有する。例えば、テキストから音声への変換、音声から動画への変換、３Ｄサーバサイドのレンダリング、３Ｄクライアントサイドのレンダリング、および３Ｄから映像への符号化のような基礎を成す実現化技術のコンポーネントである。
【００２４】
カスタマイズされたメディア出力を組み立てるために、いくつかの文脈コンポーネント、例えば、テンプレートが実施形態によって適用される（例えば、図３のメディアカスタマイズシステム３００における文脈コンポーネント３０７を参照）。文脈固有のメディア配置テンプレート３３７は、アバタの動画クリップ内のメディアの配置を定義するために使用され得る；例えば、テンプレート３３７は、背景に天気図を配置し、スクリーンに向かって左側にアバタを配置し得る。
【００２５】
文脈固有のメディア動画テンプレート３４７がまた使用され得、例えば、音声から動画への転換のような時間を追った動画の流れ、およびアプリケーションのスクリーンの全般的な流れを定義する。テンプレート３４７は、例えば、水しぶきのスクリーンを示し、天気を伝えるデバイスのスクリーンの中央に天気図を示し、天気予報者を左側に動かし、天気図を２４時間の予報の音声供給と関連付けるように、時間の順序に従って動画の構成を導くように構成され得る。ユーザ情報データベースに参照される文脈固有のデータベース３１７はまた、メディアオブジェクト、およびテキストから音声への転換のために使用され得、場面内のメディアオブジェクトにイベントを合わせる。
【００２６】
文脈コンポーネント３０７は、例えば、場面生成および動画生成の役割を有する文脈メディア生成エンジン３２７を含み得る。一実施形態の「インテリジェントな」文脈メディア生成エンジン３２７は、最初に、入力メディアを獲得して、任意的に、ユーザの好みを獲得して、ユーザデータベース１０９に格納されている情報を使用して、どのメディア資産が場面内で変更されるべきかを決定して、配置テンプレート３３７をさらに使用して、メディアクリップ内の正しい時間に、場面内の正しい位置に、それらのメディア資産を配置する。例えば、天気予報に関して、入力は、テキスト文字列「華氏６０度、８０％の降水確率」であり得る。テキストは、文脈コンポーネント３０７によって構文解析され得、「降水確率」のような鍵となる文脈パラメータを決定して、雨の確率の高い雨天の外見を表すメディアオブジェクトを引き出す−例えば、天気を伝える女性が防水服を着た外見に変わり得、予報の位置が雨が降るのを示す動画の３Ｄを有する外になり得るために、文脈データベース３１７からの文脈情報と比較され得る。
【００２７】
動画は、動画テンプレート、および顧客情報データベース１０９に格納されている文脈情報を使用して、図３のメディア生成エンジンコンポーネント３０６によって、同様に生成される。テキストの天気予報は音声の予報に転換され得、音声は動画テンプレートに基づいて筋書きを決められる。一実施形態において、動画エンジン３４６はメディアオブジェクトに対する動画を提供するために使用され得る。次に、動画は、レンダリングエンジン３３６によって、配信のための映像にレンダリングされるか、またはクライアントデバイスに３Ｄデータとして配信されるか、もしくは一部の他のメディアの形式で配信されるかのいずれかである。レンダリングエンジン３３６の例は、３Ｄバッチプロセッサであり、該３Ｄバッチプロセッサは、映像コンテンツをレンダリングするために使用され得るハードウェアで加速されたｏｐｅｎｇｌエンジンを使用して、３Ｄ動画のフレームをレンダリングする。
【００２８】
次に、フレームは、専有の映像符号化コンポーネント（ＶｅｅＣｏｄｅｒ）または他の映像エンジン３１６に渡され得る。ＶｅｅＣｏｄｅｒコンポーネントまたは他の映像エンジン３１６は映像を、クライアントデバイスがサポートし得る多数の異なる映像フォーマットに符号化し得る。音声エンジン３２６はまた、映像に対する適切な音声を生成または提供するために使用され得る。クリップが３Ｄとして配信される場合には、（アバタテンプレート３５６からのような）基礎を成すアバタのモデルとテクスチャと全ての動画のデータが、パッキングされデバイスに送信されて、そこでデータがクライアント側のレンダリングエンジンを用いて再生される。
【００２９】
クライアント側のレンダリングエンジンは、一般的には、例えば、天気予報アプリケーションのようなアプリケーションの一部分である。メディア生成コンポーネント３０６は、様々なイメージの微調整およびキャラクタの生成のために使用され得るイメージ認識コンポーネントを含み得る。イメージ入力は分析され、次に、テンプレート、ユーザ入力、テキストから音声への変換、または他の事前に指定されたイメージの価値向上の効果に基づいて、代替のイメージまたは修正を有する映像の出力を生成するために使用され得る。
【００３０】
図３のメディアカスタマイズシステム３００の実施形態において、デバイスの能力の情報はデータベース３５０に格納され得る。さらに、ユーザによって好まれるか、または選択され、顧客情報データベース１０９は、配信されたメディアと共に使用される個人的なアバタ３０９を格納し得る。
【００３１】
ここで、メディアカスタマイズシステムの多数の例および限定するためではないアプリケーションが、１つ以上の実施形態の有用性をさらに例示するために記述される。
【００３２】
カスタマイズされたメディアシステムに対する一例示的な使用は、テキスト入力に基づいて自動的に生成および配信される映像を含む。このアプリケーションにおいて、例えば、天気予報、株の相場表示機、およびニュースのような様々なテキスト入力が、３Ｄまたは映像の天気予報のような非常により質の高いメディアのタイプに変換される。視覚的な場面が、位置に基づいたテンプレートまたは視覚的なキューを使用して、クライアントのデバイスの物理的な位置に基づいて構成され、価値を向上され得る。
【００３３】
例えば、クライアントのデバイスがＳａｎ  Ｆｒａｎｃｉｓｃｏに関連する場合には、Ｇｏｌｄｅｎ  Ｇａｔｅ  Ｂｒｉｄｇｅの写真を示している背景が、テキスト、３Ｄレンダリング、動画、または映像のような他のコンテンツの後に現れ得る。別の例において、ユーザの好みが、ユーザのためにメディアをカスタマイズするために適用され得る。例えば、ユーザは、音声、映像アバタを取捨選択し得るか、またはユーザはまた、個人用のアバタまたは他の画像表示を生成するために、イメージを提供し得る。ユーザの人口統計がまた、メディアをカスタマイズするために適用され得る。例えば、特定の年齢／性別／収入のグループに基づいて、派手な、最先端、またはより保守的な職業タイプのコンテンツに向きのコンテンツに対する、好みが導き出され得る。デバイスの能力はまた、クライアントのデバイスに対してメディアをカスタマイズするために使用され得る。例えば、サポートされた映像、３Ｄおよび音声のフォーマットを含むデバイスの能力に特別に合致するように、場面が作成され得る。
【００３４】
１つの例示的な実施形態は、インテリジェントなテキスト入力認識を含む。このバージョンにおいて、カスタマイズされたメディアは、テキスト入力に含まれるデータに基づいて生成される。例として天気情報を使用すると、クライアントのデバイスのＧＰＳの位置が、天気のデータベースに対するクエリの基準として使用され得る。返信された天気の記述は分析されて、次に、バーチャルなキャラクタのための音声を作成するために使用され得、一方で、降水確率が、地図上に現れる雨雲によって描かれ得、３２度を下回る温度が、震えるアバタによって描かれ得る。この方法で、一連のメディア入力が、位置のような文脈パラメータに基づいて、特定のクライアントのデバイスに対してカスタマイズされる。別の関連する例において、インスタントメッセージのようなメッセージが、音声トラックを有する動画にテキストメッセージを転換するために、メディアカスタマイズシステムによって変換され得る。特に、インスタントメッセージでのテキストの誕生日祝賀は、バースデイソングまたはオリジナルのメッセージのテキストを再生する音声トラックを有する動画の誕生日祝賀を提供するように、変換されて、メディアの価値向上がなされ得る。
【００３５】
実施形態に対する別の関連する例示的なアプリケーションは、インテリジェントな交通レポートまたはインテリジェントな旅行情報の生成を含む。位置情報はＧＰＳシステムを使用することによって獲得され得る。例えば、数秒離れて、２つのＧＰＳ測定を獲得することによって、現在の道と方向が決定され得、道のさらに遠方の交通についての情報が得られ、クライアントのデバイスに対してカスタマイズされ得る。一般的に、ＧＰＳが可能であるクライアントのデバイスは、通常の通勤の間に数回、メディアカスタマイズシステムまたは接続されたサーバにＧＰＳデータを送信する。従って、システムは、ユーザが１つ以上の通常の経路を有するかどうかを決定し得る。次に、クエリに応答して、導き出された経路の情報に基づいて、システムは、ユーザが取ると考えられる残りの経路に沿った交通状況を報告し得る。時間データはまた、朝の通勤または夕方の通勤であるかどうかを決定するために使用され得る。リアルタイムの交通イベント（事故）がサーバに対して利用可能である場合には、メディアカスタマイズシステムは、交通事故が通常の経路上のさらに遠くで生じた場合には、クライアントのデバイスに警告を送り得る。ユーザの経路情報が導き出されると、道路地図、交通データの写真、またはレポートを伝える３Ｄのアバタを有する動画情報または他の文脈情報に基づいた他のカスタマイズされたパラメータを生成するために、ユーザの経路情報は使用され得る。
【００３６】
旅行関連のサービスが、ほぼ同じカスタマイズされた方法で供給され得るが、やはりクライアントのデバイスの位置、以前のユーザの好みおよび人口統計、およびレストランガイド（Ｚａｇａｔ）のような利用可能な入力メディアチャンネル、ならびにホテルおよび娯楽プロモーションサービスとの有料のパートナー契約に基づいて、レストラン、ホテル、クラブ、および娯楽オプションに関する特定の地域の情報を提供する。
【００３７】
本発明の方法およびシステムの様々な実施形態を使用する、メディアカスタマイズに対する他のアプリケーションは、例えば、Ｆｒｉｅｎｄｓｔｅｒ、Ｔｒｉｂｅ、ＭｙＳｐａｃｅ、Ｄｏｄｇｅｂａｌｌ、Ｍａｔｃｈ．ｃｏｍのようなコミュニティ内のユーザの間でメッセージを送信するためのコンテンツの変換および生成を含む。メッセージは、最小共通分母のフォーマット（テキストのみ：インスタントメッセージ、ＳＭＳ、電子メール）で発信し得る。しかしながら、音声および映像のような他の入力がまたサポートされる。入力メディアは、あて先のデバイスの能力に従ってトランスコーディングされ得、ユーザが選択または作成したアバタ、再生音声、位置を基にした情景などのようなさらなる文脈パラメータは、変換および生成プロセスの間に使用され得る。メッセージは一人のユーザから発信して、別のユーザに送信されるが、しかしコミュニティの中央「プロフィール」エンジンを通過し、該コミュニティの中央「プロフィール」エンジンは、端から端までのルーティングを行い、２人のユーザの終点（電話番号、電子メールのアドレスなど）を隠す。２人のユーザのプロフィールの識別だけが互いに明かされるが、「実世界」の正体は明らかにされない。これは、「ｔｅｘｔｉｍａｔｉｏｎ」（テキストから動画への）変換の使用が、より高性能のフォーマットを扱うことが可能であるデバイス／プレイヤを有するユーザのために、より高性能のフォーマットにテキストまたはＳＭＳメッセージを「アップグレード」することを可能にする。例としては、テキストから音声への変換を用いたＳＭＳからアバタへの変換および生成を含み、（送信者のプロフィールから抽出された）送信者のアバタを使用、および圧縮されかつ短縮されたＳＭＳの省略表現を、エモーティコンキュー、句読法から抽出される感情的なニュアンスを有するより完全な会話文に爆発的に増加させるための、ＳＭＳ固有の文脈エンジンの使用を含む。
【００３８】
一実施形態において、様々なメディア要素は「解体される」必要はない。例えば、このシステムに供給される要素が音声トラックである場合には、音声トラックが他のメディア要素に組み込まれる、および／または変換される前に、音声トラックは解体される必要はない。
【００３９】
様々な実施形態において、文脈に基づいた変換にとどまらないものが生じ得る。例えば、様々な芸術的な要素を組み合わせる（例えば、図形的な３Ｄレンダリングに音声を加える）ことが、「すごいもの」を作成する−これは、派生的な作品または他の結果としての作品を作成する変換プロセスである。異なるフォーマットで異なる入力を獲得して、それら全てを同じフォーマット（例えば、３ＧＰＰ）に変換するだけにとどまらず、このような実施形態は、全体が部分の合計を上回る状況を含む。さらに、実施形態において、１つの要素が他の要素を特徴づけるか、または影響を与える−例えば、音声トラックが、唇、目などの動画（動作）を「動かす」。
【００４０】
一実施形態に従って、本明細書に記述された特徴の少なくとも一部は、１つ以上の機械で読み取り可能なメディアに格納されたソフトウェアまたは他の機械で読み取り可能な命令で実現され得る。機械で読み取り可能な命令は、１つ以上のプロセッサによって実行され得ることにより、本明細書に記述された特徴および他の機能性を提供する。例えば、図１〜図３に示されている様々なエンジン、テンプレート、コンポーネントなどは、１つ以上のプロセッサによって実行可能であるソフトウェアモジュールとして実現され得る。
【００４１】
別の実施形態が図４に示されている。該実施形態は、映像符号化の速度および質を向上し得る補足情報を生成する能力を有する、文脈に基づいたメディア生成コンポーネント（ブロック１０６および１０７）を提供する。補足情報は、トランスコーディングコンポーネント１０５（または一部の他の変換コンポーネント）によって使用されて、（例えば、３Ｄフレームからの３ＧＰＰのファイルのような）映像を生成する。トランスコーディングコンポーネント１０５によって使用される映像圧縮は、フレーム間の動きの評価と、予報の誤りの符号化を伴う。３Ｄメディアジェネレータ１０６は、フレーム間の動きの情報を提供し得る。生じた動きと、１つのフレームと別のフレームとの間で変化したことが分かるので、正確な動きの情報を有することは、映像の符号化の時間を削減し（例えば、動きの評価が必要ではない）、予報の誤りを減少させる。
【００４２】
この動きの情報または他の補足情報は、符号化のためのヒントトラック１５１としてトランスコーディングコンポーネント１０５に渡される。予報の誤りの減少は、圧縮の質を増加させ、一定のビットレートに対するより高い映像の質、または一定の質の映像ファイルに対する削減されたファイルサイズを可能にする。動きのデータは、映像の符号化の質および速度を増加させるために３Ｄメディアジェネレータ１０６によって提供され得る、補足情報の単なる１つの可能な例であるということが理解される。メディアジェネレータ１０６はまた、追加的な限定ではない例として、フレーム間の輝度または他のライティングの変更、フレーム間のテクスチャの変更に関する情報を提供し得る。３Ｄメディアジェネレータ１０６の実施形態はまた、さらに追加的な例として、テキストのオーバレイがある場合にはフレームの構成に関する情報を送信し得るか、または場面のどの部分がさらに多くのビットの焦点となるべきかに関する情報を送信し得る。
【００４３】
実施形態において、メディアは、デバイス能力に基づいて、（例えば）３ＧＰＰの映像ファイルまたは３Ｄの映像ファイルとしてエンドユーザのデバイスに配信され得る。この情報は、デバイスの能力検出エンジン１０９を用いて導き出される。さらに、映像または３Ｄのメディアは、デバイスの能力に合うようにカスタムで作成され得る。３Ｄのファイルをレンダリングすることに関して、異なるデバイスは異なる能力を有し得、従って、そのデバイスに最適化された３Ｄのコンテンツを必要とし得る。文脈に基づいたメディア生成エンジンは、デバイスの能力に合うファイルを生成することが可能である。同様の方法で、トランスコーディングコンポーネント１０５は、エンドユーザのデバイスに適した属性を有する映像ファイルを生成することが可能である。メディアが、全て異なる特質を有する複数の３Ｄファイルおよび複数の３ＧＰＰのファイルに事前に符号化された場合には、配信エンジンがデバイスの情報およびファイルのプロパティを使用して、エンドユーザのデバイスにとって最適なファイルを選択し得る。
【００４４】
一実施形態の配信エンジンは、ファイルを選択するために、ネットワークの状態またはデバイスの状態よりもむしろ、デバイスの能力を使用する。セッションが開始されると、配信エンジンの能力が、動的帯域幅適合技術と結合され得る。それは例えば、２００３年５月３０日出願の「ＭＥＴＨＯＤ  ＡＮＤ  ＡＰＰＡＲＡＴＵＳ  ＦＯＲ  ＤＹＮＡＭＩＣ  ＢＡＮＤＷＩＤＴＨ  ＡＤＡＰＴＡＴＩＯＮ」と題される米国特許出願第１０／４５２，０３５号に開示されており、該出願は、本出願と同じ譲受人に譲渡され、その全体が本明細書において参考として援用される。一実施形態のトランスコーディングコンポーネント（１０５）はまた、この共有に係る出願に開示される適合技術を利用し得る。
【００４５】
本明細書において言及され、および／または出願データシートに列挙された上記の米国特許、米国特許出願公開、米国特許出願、外国特許、外国特許出願、および非特許刊行物の全ては、その全体が本明細書において参考として援用される。
【００４６】
要約書に記述されたものを含む例示された実施形態に関する上の記述は、網羅的であること、または開示された正確な形式に本発明を限定することを意図されていない。特定の実施形態および例は、本明細書において例示の目的として記述されているが、様々な均等な改変が、本発明の範囲内において可能であり、本発明の意図および範囲を逸脱することなく行われ得る。
【００４７】
これらのおよび他の改変が、上記の詳細な記述に鑑みて本発明に対して行われ得る。特許請求の範囲において使用される用語は、本明細書および特許請求の範囲に開示された特定の実施形態に本発明を限定するように解釈されるべきではない。むしろ、本発明の範囲は特許請求の範囲によって完全に決定されるべきであり、それは請求項の解釈に関する確立された原則に従って解釈されるべきである。
【図面の簡単な説明】
【００４８】
【図１】図１は、一実施形態に従ったシステムのブロック図である。
【図２】図２は、別の実施形態に従ったシステムのブロック図である。
【図３】図３は、さらに別の実施形態に従ったシステムのブロック図である。
【図４】図４は、またさらに別の実施形態に従ったシステムのブロック図である。
【図１】
2008544412.tif 000003
【図２】
2008544412.tif 000004
【図３】
2008544412.tif 000005
【図４】
2008544412.tif 000006
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
第１のデータを取得することと、
該第１のデータを分析して、そこから文脈情報を取得することと、
該取得した文脈情報を使用して、第２のデータを決定することであって、該決定された第２のデータは、人物の画像表示と、該画像表示とは異なる少なくとも１つのメディアオブジェクトとを含み、それらの両方が該第１のデータのコンテンツと関連する、ことと、
該第１のデータを使用して、該決定された第２のデータの該画像表示とメディアオブジェクトとを動かして、変換されたデータを取得することであって、該動かすことは、該画像表示を動画化して、該第１のデータの該コンテンツに通信することと、該画像表示による該通信とは別に該メディアオブジェクトを使用して、該第１のデータの該コンテンツを文脈において表示することとを含む、ことと、
該決定された第２のデータに基づいて、かつ、該文脈情報に基づいて、ヒントトラック情報を導き出すことと、
該導き出されたヒントトラック情報を使用して、少なくとも１つのクライアントのデバイスに対して、またはワイヤレス通信ネットワークの通信チャンネルに対して最適化された形式に変換されたデータの、トランスコーディングを最適化することと、
該最適化された形式で、該変換されたデータを該ワイヤレス通信ネットワークの該通信チャンネル上の該少なくとも１つのクライアントのデバイスに配信することと
を包含する、方法。
【請求項２】
前記第１のデータを取得することは、テキストデータを取得することを含み、該第１のデータを分析することは、該テキストデータを構文解析して、そこから前記文脈情報を取得することを含み、前記少なくとも１つのメディアオブジェクトは、音声、映像、別の画像表示、１つ以上のイメージ、または該テキストデータとを文脈において表示する他の質の高いメディア要素を含む、請求項１に記載の方法。
【請求項３】
前記第１のデータを使用して、前記決定された第２のデータを動かすことは、該第１のデータのうちの少なくとも一部を該第２のデータと組み合わせて、前記変換されたデータを取得することを含む、請求項１に記載の方法。
【請求項４】
前記文脈情報を取得することは、前記第１のデータから感情的なニュアンスを決定することを含む、請求項１に記載の方法。
【請求項５】
前記クライアントのデバイスの特性に基づいて、または前記変換されたデータを配信するための通信チャンネルの状況に基づいて、該変換されたデータ、または該第２のデータを第１の形式から別の形式にトランスコーディングすることと、
通信セッションの間に、該クライアントのデバイスの特性または該チャンネルの状況の変化に応答して、該トランスコーディングされたデータを動的に更新することと
をさらに包含する、請求項１に記載の方法。
【請求項６】
テンプレートを使用して、イメージフレームの選択された位置で、時間内の順序に従って、前記画像表示と前記メディアオブジェクトとを表示することをさらに包含する、請求項１に記載の方法。
【請求項７】
前記決定された第２のデータに基づいて、または前記文脈情報に基づいて、ヒントトラック情報を導き出すことは、前記トランスコーディングに先立ち、動きの情報、輝度の変更情報、およびテクスチャの変更情報を導き出すことを含み、
該ヒントトラック情報を使用して、該トランスコーディングを最適化することは、該導き出された動きの情報、輝度の変更情報、およびテクスチャの変更情報を使用して、該トランスコーディングを実行することを含む、請求項１に記載の方法。
【請求項８】
第１のデータを取得する手段と、
該第１のデータを分析して、そこから文脈情報を取得する手段と、
該取得した文脈情報を使用して、該第１のデータと関連する第２のデータを決定する手段と、
該決定された第２のデータで該第１のデータを補って、変換されたデータを生成する手段と、
該決定された第２のデータに基づいて、および該文脈情報に基づいてヒントトラック情報を導きき出す手段と、
該導き出されたヒントトラック情報を使用して、少なくとも１つのクライアントのデバイスに対して、またはワイヤレス通信ネットワークの通信チャンネルに対して最適化された形式への該変換されたデータのトランスコーディングを最適化する手段と、
最適化された形式で、該変換されたデータを該通信チャンネル上の該少なくとも１つのクライアントのデバイスに配信する手段と
を備えている、メディアカスタマイズシステム。
【請求項９】
前記変換されたデータをトランスコーディングする手段と、
クライアントのデバイスのデータ、顧客情報、または該変換されたデータを生成するために使用され得る画像情報を格納する手段と
をさらに備えている、請求項８に記載のシステム。
【請求項１０】
前記第１のデータを分析する前記手段は、文脈データベース、文脈エンジン、配置テンプレート、および動画テンプレートのうちの少なくとも１つを含む、請求項８に記載のシステム。
【請求項１１】
前記補う手段は、前記変換されたデータに対するメディアを生成するために使用可能である映像エンジン、音声エンジン、レンダリングエンジン、動画エンジン、および画像テンプレートのうちの少なくとも１つを含む、請求項８に記載のシステム。
【請求項１２】
前記ヒントトラック情報を使用して、トランスコーディングを最適化する前記手段は、導き出す前記手段によって該トランスコーディングに先立ち該ヒントトラック情報として導き出される動きの情報、輝度の変更情報、およびテクスチャの変更情報に基づいて、映像の符号化の価値を高める手段をさらに含む、請求項８に記載のシステム。
【請求項１３】
デバイスの能力に基づいて導き出された映像ファイルとして、前記変換されたデータを配信する手段をさらに備えている、請求項７に記載のシステムであって、該映像ファイルは、人物の画像表示を該変換されたデータとして含み、該人物の画像表示は動画化されて、前記第１のデータの前記コンテンツを通信し、該画像表示とは異なる少なくとも１つのメディアオブジェクトは、該画像表示による該通信とは別に、該第１のデータの該コンテンツを文脈において表示する、システム。
【請求項１４】
取得された第１のデータを分析して、そこから文脈情報を取得するための、
該取得された文脈情報を使用して、第２のデータを決定するためであって、該決定された第２のデータは、人物の画像表示と、該画像表示とは異なる少なくとも１つのメディアオブジェクトとを含み、それらの両方が該第１のデータと関連する、ための、
該第１のデータを使用して、該決定された第２のデータの該画像表示と該メディアオブジェクトとを動かして、変換されたデータを取得するためであって、該動かすことは、該画像表示を動画化して、該第１のデータの該コンテンツに通信することと、該画像表示による該通信とは別に該メディアオブジェクトを使用して、該第１のデータの該コンテンツを文脈において表示することとを含む、ための、および
該変換されたデータをワイヤレス通信ネットワーク上の少なくとも１つのクライアントのデバイスに配信するための、少なくとも１つのプロセッサによって実行可能である、製品に格納された命令を有する、機械で読み取り可能なメディアを備えている、製品。
【請求項１５】
前記機械で読み取り可能なメディアは、
前記決定された第２のデータに基づいて、または前記文脈情報に基づいて、ヒントトラック情報を導き出すための、および
該ヒントトラック情報を使用して、前記クライアントのデバイスに対して、または該クライアントのデバイスへの通信チャンネルに対して最適である形式への、前記変換されたデータのトランスコーディングを最適化するための、
製品に格納された命令をさらに含む、請求項１４に記載の製品。
【請求項１６】
前記取得された第１のデータを分析して、文脈情報を取得する前記命令は、該第１のデータから感情的なニュアンスを導き出す命令を含む、請求項１４に記載の製品。
【請求項１７】
前記取得された文脈情報を使用して、第２のデータを決定する前記命令は、ユーザの好み、デバイスの特性、または前記第１のデータと関連し得るメディアのコンテンツのうちの少なくとも１つ以上に基づいて、該第１のデータと関連のある第２のデータを識別する命令を含む、請求項１４に記載の製品。
【請求項１８】
メディア入力を受信する入力端末と、
該メディア入力を分析して、そこから文脈情報を取得し、該取得された文脈情報を使用して、該メディア入力と関連のある該メディア入力に対するメディアの補足を決定するための、該端末と結合された文脈コンポーネントと、
該決定されたメディアの補足で該メディア入力を補って、変換されたメディアを取得するための、該文脈コンポーネントと結合されたメディア生成コンポーネントであって、該決定されたメディアの補足は、人物の画像表示と、該画像表示とは異なる少なくとも１つのメディアオブジェクトとを含み、それらの両方が該メディア入力と関連し、該画像表示は動画化されて、該メディア入力の該コンテンツを通信し、該メディアオブジェクトは、該画像表示による該通信とは別に、該第１のデータの該コンテンツを文脈において表示する、メディア生成コンポーネントと、
無線通信ネットワーク上の少なくとも１つのクライアントのデバイスに該変換されたメディアを配信するための、該メディア生成コンポーネントと結合された出力端末と
を備えている、装置。
【請求項１９】
前記クライアントのデバイスに対して、または前記変換されたメディアを配信するために使用される前記クライアントのデバイスへの通信チャンネルに対して最適である形式に該変換されたメディアを転換するための、前記メディア生成コンポーネントと結合されたトランスコーディングコンポーネントと、
デバイスの能力情報、ユーザの情報、好みの情報、またはアバタのテンプレートを含む、前記クライアントのデバイスに関連する情報を格納するための、少なくとも１つの格納ユニットと
をさらに備えている、請求項１８に記載の装置。
【請求項２０】
前記クライアントのデバイスに対して、または前記変換されたメディアを配信するために使用される前記クライアントのデバイスへの通信チャンネルに対して最適である形式に該変換されたメディアを転換するための、前記メディア生成コンポーネントと結合されたトランスコーディングコンポーネントをさらに備える、請求項１８に記載の装置であって、該トランスコーディングコンポーネントは、該メディア生成コンポーネントまたは該変換されたメディアの転換を最適化するために使用可能である前記文脈コンポーネントからヒントトラック情報を受信するためにさらに結合され、該ヒントトラック情報は、該トランスコーディングコンポーネントによる符号化に先立ち導き出される動きの情報、輝度の変更情報、およびテクスチャの変更情報を含む、装置。
【請求項２１】
前記文脈コンポーネントは、文脈データベース、文脈エンジン、配置テンプレート、および動画テンプレートを含む、請求項１８に記載の装置。
【請求項２２】
前記メディア生成コンポーネントは、前記変換されたメディアに対するオブジェクトを生成するために使用可能である映像エンジン、音声エンジン、レンダリングエンジン、動画エンジン、および画像テンプレートを含む、請求項１８に記載の装置。
【国際調査報告】
2008544412.tif 000007
2008544412.tif 000008
2008544412.tif 000009
2008544412.tif 000010
2008544412.tif 000011